(57)【特許請求の範囲】
【請求項１】
容器の口筒部に取着され、キャップ本体と上蓋とがヒンジを介して連設されたヒンジキャップにおいて、
キャップ本体は、容器口筒部に嵌着される係合筒部と注出筒を備え、
係合筒部の上部には、蓋係合部が突設され、注出筒の内周には、係合部が設けられており、
上蓋は、頂壁と外周壁とを備え、
頂壁には、外周がキャップ本体の注出筒内周と係合し、下端部に注出筒の係合部に係合する係合突部を設けた密封リングが垂設され、
外周壁の外周には、つまみを配設し、下端内周には、キャップ本体の蓋係合部に係合する係合部が設けられ、
キャップ本体と上蓋が、注出筒と密封リング、および蓋係合部と外周壁の係合部の二個所で係合されるようになっており、
上蓋の頂壁または外周壁には薄肉部が設けられ、該薄肉部によって上蓋のつまみ側が変形可能となっていることを特徴とするヒンジキャップ。
【請求項２】
頂壁の外周壁内周と密封リング外周との間に、下面から凹部が凹設され、頂壁に薄肉部が設けられていることを特徴とする請求項１記載のヒンジキャップ。
【請求項３】
頂壁の薄肉部が、つまみを中心に一定範囲の円弧として形成されていることを特徴とする請求項２記載のヒンジキャップ。
【請求項４】
外周壁のつまみとヒンジとを結ぶ中心線に対する両側の内周に、凹部が凹設され、外周壁の前記両側に薄肉部が設けられていることを特徴とする請求項１記載のヒンジキャップ。
【発明の詳細な説明】
【技術分野】
【０００１】
本発明は、ヒンジキャップ、とくに、容器内に充填した加熱殺菌された内容液により上蓋内の空気圧が上昇してキャップ上蓋が開蓋されることを防止するとともに、使用する際に、簡単に開蓋することができるようにしたヒンジキャップに関するものである。
【背景技術】
【０００２】
殺菌のため加熱された内容液を充填するヒンジキャップにおいて、内容液を充填し、ヒンジキャップを打栓した後、容器内部を殺菌し、次いで、容器外部より温水シャワーで洗浄、冷却することは従来より行われている。
そしてまた、殺菌のための加熱処理によるキャップ内の空気圧の上昇により、上蓋が開蓋することを防止するために、キャップ本体の係合用の突出部に係合する上蓋の突出部に、主突起と補助突起を設け、係止機構を二重にして上蓋の開蓋を防止することも、従来より知られている（例えば、特許文献１参照）。
【特許文献１】特開平１１−３５０６１号公報
【発明の開示】
【発明が解決しようとする課題】
【０００３】
しかしながら、上記特許文献１記載の従来のヒンジキャップは、補助突起の係合によって、それ以上の上蓋の上昇を抑制し、上蓋の開蓋を防止するようにしているので、使用者が上蓋を開閉するためには、補助突起をキャップ本体の係合用の突出部を乗り越えさせなければならず、開蓋の際に大きな力が必要であるという問題があった。
【０００４】
本発明は、上記問題を解決することを課題とし、加熱充填に伴う上蓋内の圧力上昇による上蓋の開蓋を防止するとともに、内容物を使用する際に、上蓋を少ない開蓋力で開蓋できるようにしたヒンジキャップを提供することを目的とする。
【課題を解決するための手段】
【０００５】
本発明は、上記の課題を解決するため、ヒンジキャップとして、容器の口筒部に取着され、キャップ本体と上蓋とがヒンジを介して連設されたヒンジキャップにおいて、キャップ本体は、容器口筒部に嵌着される係合筒部と注出筒を備え、係合筒部の上部には、蓋係合部が突設され、注出筒の内周には、係合部が設けられており、上蓋は、頂壁と外周壁とを備え、頂壁には、外周がキャップ本体の注出筒内周と係合し、下端部に注出筒の係合部に係合する係合突部を設けた密封リングが垂設され、外周壁の外周には、つまみを配設し、下端内周には、キャップ本体の蓋係合部に係合する係合部が設けられ、キャップ本体と上蓋が、注出筒と密封リング、および蓋係合部と外周壁の係合部の二個所で係合されるようになっており、上蓋の頂壁または外周壁には薄肉部が設けられ、該薄肉部によって上蓋のつまみ側が変形可能となっていることを特徴とする構成を採用する。
【０００６】
薄肉部の実施例として、頂壁の外周壁内周と密封リング外周との間に、下面から凹部が凹設され、頂壁に薄肉部が設けられていることを特徴とする構成、さらに、頂壁の薄肉部が、つまみを中心に一定範囲の円弧として形成されていることを特徴とする構成、または、外周壁のつまみとヒンジとを結ぶ中心線に対する両側の内周に、凹部が凹設され、外周壁の前記両側に薄肉部が設けられていることを特徴とする構成を採用する。
【発明の効果】
【０００７】
キャップ本体と上蓋とを、キャップ本体の注出筒と上蓋の密封リング、およびキャップ本体の蓋係合部と上蓋の係合部との二個所で係合させるようにしたので、打栓時の加熱充填に伴う上蓋内の圧力上昇による上蓋の開蓋を防止できる。
また、上蓋に薄肉部を設け、上蓋の一部を変形可能としたので、上蓋を開蓋する際に、上蓋の一部を変形させ、速やかに上蓋の外周壁とキャップ本体の蓋係合部との係合を外すことができ、少ない開蓋力で開蓋することができる。
さらに、開蓋の際に、上蓋の外周壁とキャップ本体の蓋係合部と、上蓋の密封リングとキャップ本体の注出筒との二個所の係合を時間をおいて個別に外すことができ、上蓋の開蓋を効率的に行うことができる。
【発明を実施するための最良の形態】
【０００８】
次に、本発明のヒンジキャップについて、実施例をあげ、図面を参照して説明する。
【実施例１】
【０００９】
図１、２において、Ａは容器に打栓されるキャップ本体、Ｂはキャップ本体ＡにヒンジＣを介して一体成形された上蓋である。
容器は、口筒部１と胴部２、底部からなり、口筒部１外周には、係合突条３が設けられている。
【００１０】
キャップ本体Ａは、係合筒部５と、該係合筒部５の内側に連設される注出筒６と、係合筒部５外周に一定の間隔をもって連設され、上端外周の所定位置にヒンジＣを連設する外周筒部７とからなっている。
【００１１】
係合筒部５は、リング状の上壁８と、上壁８の内周縁に垂設された内筒９と、上壁８の外周縁に垂設された外筒１０と、上壁８の上部に立設され、上蓋Ｂと係合する蓋係合部１１とからなっている。
外筒１０の内周には、容器の口筒部１の係合突条３と係合する係合突条１２が設けられており、係合筒部５は、打栓時に、内筒９外周と外筒１０内周により、容器の口筒部１を挟持するように、キャップ本体Ａを容器の口筒部１に装着させる。
【００１２】
内筒９の下端から内方に環状底壁１３が連設され、環状底壁１３の内縁には、注出筒６が立設されている。
【００１３】
注出筒６の内周下部には、底壁１４が設けられており、底壁１４には、注出口を開口するための薄肉の弱化部１５により区画された除去部１６が設けられ、該除去部１６には、プルリング１７が立設されている。
注出筒６の内周上部には、係合突部１８が配設されている。
【００１４】
外筒１０の下端外周と外周筒部７の下端内周は、外周筒部７のヒンジＣの反対側に設けられた連結片１９と、間隔をおいて複数配設された破断可能な弱化片２０とを介して連設されている。
【００１５】
蓋係合部１１の外周には、外筒１０外周より縮径された縮径部２１と、その上端部に縮径部２１より拡径された膨出部２２とが形成されている。
【００１６】
上蓋Ｂは、頂壁２５と、頂壁２５の周縁に垂設された外周壁２６とを具えており、頂壁２５下面には、キャップ本体Ａの注出筒６の内周に挿入される密封リング２７が垂設されている。
外周壁２６の外周下端の所定の位置にヒンジＣが連設され、ヒンジの反対側には、つまみ２８が突設されている。
【００１７】
頂壁２５下面には、外周壁２６内周と密封リング２７外周との間に、つまみ２８側を中央とした円弧状の凹部２９が凹設され、頂壁２５に薄肉部２５ａを形成している。
【００１８】
外周壁２６の内周下端は拡径され、キャップ本体Ａの係合筒部５の蓋係合部１１と係合する係合部３０が設けられており、係合部３０は、キャップ閉蓋時にキャップ本体Ａの蓋係合部１１の上面に当接する上内面３０ａと、蓋係合部１１の外周と係合する側内面３０ｂとから形成されている。
【００１９】
上内面３０ａには、溝３１が凹設されている。
側内面３０ｂの下端には、キャップ本体Ａの蓋係合部１１の膨出部２２と係合する係合突部３２が設けられている。
【００２０】
密封リング２７の外周下端には、キャップ閉蓋時にキャップ本体Ａの注出筒６の係合突部１８と係合する係合突部３３が配設されている。
【００２１】
次に、本実施例のヒンジキャップの作用効果について説明する。
ヒンジキャップの組立は、上蓋Ｂの外周壁２６の係合部３０とキャップ本体Ａの蓋係合部１１とを係合させるとともに、上蓋Ｂの密封リング２７とキャップ本体Ａの注出筒６とを係合させ、上蓋Ｂをキャップ本体Ａに閉蓋すると、図１に示すように、ヒンジキャップ内には、係合したキャップ本体Ａの注出筒６と上蓋Ｂの密封リング２７より外側に空気室ａ、内側に空気室ｂが形成される。
【００２２】
容器の使用にあたって、容器内に加熱された内容液を充填し、容器口筒部１に、閉蓋したヒンジキャップを上方から打栓する。
本実施例のヒンジキャップは、上蓋Ｂの外周壁２６の係合部３０とキャップ本体Ａの蓋係合部１１との係合、および、注出筒６の係合突部１８と密封リング２７の係合突部３３との係合によって、打栓後に、加熱処理により、ヒンジキャップ内の空気室ａ、ｂの空気が膨張し内圧が高くなっても、空気室ａは、外周壁２６の係合部３０と蓋係合部との係合によって、また、空気室ｂは、注出筒６と密封リング２７の係合によって固く結合され、上蓋Ｂが開蓋されることを防止している。
また、上蓋Ｂの閉蓋後には、温水シャワー、または冷却水がかけられても、上蓋Ｂ内は密閉状態が保たれるので、空気とともにシャワーがキャップ内に吸入されることはない。
【００２３】
上蓋Ｂを開蓋する際には、上蓋Ｂのつまみ２８に指などを掛け上方に持ち上げる。
本実施例のヒンジキャップは、上蓋Ｂの頂壁２５に薄肉部２５ａが設けられているため、つまみ２８の持ち上げ始めに、図３（ａ）に示すように、薄肉部２５ａが変形するので、上蓋Ｂのつまみ２８側を弱い力で変形させることができる。
【００２４】
上蓋Ｂのつまみ２８側が変形するので、閉蓋時に空気室ａ内が密閉状態になっていても、上蓋Ｂの外周壁２６の係合部３０とキャップ本体Ａの蓋係合部１１とのつまみ２８側の係合を簡単に外すことができる。
【００２５】
さらに、つまみ２８を持ち上げると、図３（ｂ）に示すように、上蓋Ｂの密封リング２７とキャップ本体Ａの注出筒６との係合が外れ、上蓋Ｂを開蓋することができる。
【００２６】
本実施例のヒンジキャップは、上蓋Ｂの頂壁２５の薄肉部２５ａが変形し、上蓋Ｂのつまみ２８側を変形させることができるので、開蓋時に、上蓋Ｂの外周壁２６の係合部３０とキャップ本体Ａの蓋係合部１１との係合、および、上蓋Ｂの密封リング２７とキャップ本体Ａの注出筒６との係合とを外す力とに分力することができ、従来のヒンジキャップに比べ、上蓋の開封力を低減することができる。
【００２７】
上記実施例では、上蓋Ｂの頂壁２５の外周壁２６内周と密封リング２７外周との間に、薄肉部２５ａを半円形で形成したが、頂壁２５の外周壁２６内周と密封リング２７外周との間の全周に、薄肉部２５ａを形成するようにしても、上記実施例の上蓋Ｂと同様に、簡単に上蓋Ｂを変形させることができるので、上蓋Ｂの頂壁２５の薄肉部２５ａの形状は、上記実施例の形状に限定されない。
【００２８】
上記実施例では、上蓋Ｂの密封リング２７の外周下端に係合突部３３を設け、キャップ本体Ａの注出筒６の係合突部１８を設けて、キャップ閉蓋時に係合するようにしたが、例えば、上蓋Ｂの密封リング２７に係合突部３３を設け、キャップ本体Ａの注出筒６に係合突部３３に係合する係合凹部を設けて、キャップ閉蓋時に係合するようにしてもよく、上蓋Ｂの密封リング２７とキャップ本体Ａの注出筒６との係合の形態は、上記実施例の形態に限定されない。
【実施例２】
【００２９】
次に、第１実施例の上蓋の形状を変えた第２実施例について、説明する。
本実施例の第１実施例と同一の構成部分には、同一の符号を付して図示して詳しい説明を省略し、相違点を中心に説明する。
【００３０】
図４において、Ａは容器に打栓されるキャップ本体、Ｂａはキャップ本体ＡにヒンジＣを介して一体成形された上蓋である。
【００３１】
上蓋Ｂａは、頂壁３５と、頂壁３５の周縁に垂設された外周壁３６とを具えており、頂壁３６下面には、キャップ本体Ａの注出筒６の内周に挿入される密封リング３７が垂設されている。
外周壁３６の外周下端の所定の位置にヒンジＣが連設され、ヒンジＣの反対側には、つまみ３８が突設されている。
【００３２】
外周壁３６の内周下端は拡径され、キャップ本体Ａの係合筒部５の蓋係合部１１と係合する係合部３９が設けられている。
外周壁３６のつまみ３８とヒンジＣとの中心線に対して両側の位置の内周には、つまみ３８側に向かって形成された凹部４０が凹設され、外周壁３６の両側に薄肉部３６ａを形成している。
【００３３】
次に、本実施例のヒンジキャップの作用効果について説明する。
ヒンジキャップの組立は、上蓋Ｂａの外周壁３６の係合部３９とキャップ本体Ａの蓋係合部１１とを係合させるとともに、上蓋Ｂａの密封リング３７とキャップ本体Ａの注出筒６とを係合させ、上蓋Ｂａをキャップ本体Ａに閉蓋することにより、第１実施例と同様に、ヒンジキャップ内には、係合したキャップ本体Ａの注出筒６と上蓋Ｂａの密封リング３７より外側に空気室ａ、内側に空気室ｂが形成される。
【００３４】
上蓋Ｂａを開蓋する際には、上蓋Ｂａのつまみ３８に指などを掛け上方に持ち上げる。
本実施例のヒンジキャップは、上蓋Ｂａの外周壁３６の両側に薄肉部３６ａが設けられているため、つまみ３８の持ち上げ始めに、薄肉部３６ａが変形するので、上蓋Ｂａのつまみ３８側を弱い力で変形させることができる。
【００３５】
上蓋Ｂのつまみ３８側が変形するので、閉蓋時に空気室ａ内が密閉状態になっていても、上蓋Ｂａの外周壁３６の係合部３９とキャップ本体Ａの蓋係合部１１とのつまみ３８側の係合を簡単に外すことができる。
【００３６】
本実施例のヒンジキャップは、上蓋Ｂａの外周壁３６の両側の薄肉部３６ａが変形し、開蓋時に、上蓋Ｂａの外周壁２６の係合部３９とキャップ本体Ａの蓋係合部１１との係合と、上蓋Ｂの密封リング２７とキャップ本体Ａの注出筒６との係合とを外す力とに分力することができ、従来のヒンジキャップに比べ、上蓋の開封力を低減することができる。
その他の作用効果は、実施例１と同じである。
【００３７】
上記実施例では、上蓋Ｂａの外周壁３６の両側の内周に、つまみ３８側に向かって薄肉部３６ａを形成したが、外周壁３６の両側部を介して上蓋Ｂａのつまみ３８側を弱い力で変形させることができればよいので、例えば、図５に示すように、上蓋Ｂａの外周壁３６の両側の内周にある程度の大きさで薄肉部３６ａを形成するようにしてもよく、上蓋Ｂａの外周壁３６の薄肉部の形状は、上記実施例の形状に限定されない。
【００３８】
また、注出筒６について、第１実施例の変形実施例と同様に、密封リング２７に係合突部３３を設け、注出筒６に係合凹部を設けてもよい。
【産業上の利用可能性】
【００３９】
本発明は、ヒンジキャップにおいて、加熱充填した内容液、温水シャワー等により上蓋内の空気が加熱されてヒンジキャップの上蓋が開蓋されることを防止できるとともに、上蓋の開蓋の際にも、上蓋の開封力を低減することができるので、各種の加熱充填する内容液の容器のヒンジキャップとして広く利用することができる。
【図面の簡単な説明】
【００４０】
【図１】本発明の第１実施例のヒンジキャップの断面立面図である。
【図２】ヒンジキャップの開蓋状態の説明図で、（ａ）は上面図、（ｂ）は断面立面図である。
【図３】ヒンジキャップの開蓋の説明図で、（ａ）は開蓋始め、（ｂ）は開蓋時である。
【図４】第２実施例のヒンジキャップの開蓋状態の説明図で、（ａ）は上面図、（ｂ）は断面立面図である。
【図５】第２実施例の別実施例のヒンジキャップの開蓋状態の説明図で、（ａ）は上面図、（ｂ）は断面立面図である。
【符号の説明】
【００４１】
Ａ          キャップ本体
Ｂ、Ｂａ    上蓋
Ｃ          ヒンジ
ａ、ｂ      空気室
１          口筒部
２          胴部
３          係合突条
５          係合筒部
６          注出筒
７          外周筒部
８          上壁
９          内筒
１０        外筒
１１        蓋係合部
１２        係合突条
１３        環状底壁
１４        底壁
１５        弱化部
１６        除去部
１７        プルリング
１８、３２、３３    係合突部
１９        連結片
２０        弱化片
２１        縮径部
２２        膨出部
２５、３５  頂壁
２５ａ、３６ａ    薄肉部
２６、３６  外周壁
２７、３７  密封リング
２８、３８  つまみ
２９、４０  凹部
３０、３９  係合部
３０ａ      上内面
３０ｂ      側内面
３１        溝
【図１】
0005269375.tif 000002
【図２】
0005269375.tif 000003
【図３】
0005269375.tif 000004
【図４】
0005269375.tif 000005
【図５】
0005269375.tif 000006